(57)【要約】【課題】  本発明は一種のコンタクト間の接続が実現される時、充分な電磁遮蔽効果が得られるようにすることを目的とする。【解決手段】  本発明の電気コネクタは、高速ビッドで最適な信号伝送を実現することができる回路基板を備えた電気コネクタに関し、電気コネクタは、並列する複数の第１溝部を備えた絶縁本体と、並列するように装着された複数の端子と、対応する溝部に収容される回路基板と、絶縁本体と回路基板とを覆うハウジングとから構成される。前記端子は、回路基板の導電ラインに電気接続される接続アームと、回路基板に電気接続される末端とを備える。前記ハウジングは内側に伸びる複数のバネ体を有し、該バネ体は、隣接する回路基板の間に延設され、且つ、回路基板と接触する。【選択図】図１
2005079093.tif 000002
【特許請求の範囲】
【請求項１】
電気コネクタにおいて、
並列する複数の第１溝部を備えた絶縁本体と、
並列するように装着された複数の端子と、
前記絶縁本体の対応する溝部に収容され、前記端子と電気的に接続される導電ラインを有する回路基板と、
絶縁本体と回路基板とを覆うハウジングとを備え、
前記回路基板は、ハウジングと絶縁本体とに固定されることを特徴とする電気コネクタ。
【請求項２】
前記ハウジングには、二つの隣接した回路基板の間に延設されたバネ体が設けられていることを特徴とする請求項１に記載の電気コネクタ。
【請求項３】
前記回路基板の導電ラインは、第１側面に設けられる信号ラインと第１及び第２側面に設けられる接地ラインとを備え、ハウジングのバネ体は、回路基板の接地ラインと電気的に接続されていることを特徴とする請求項２に記載の電気コネクタ。
【請求項４】
前記ハウジングは、ほぼ矩形とされ、接地片が設けられ、回路基板と電気的に接続されていることを特徴とする請求項３に記載の電気コネクタ。
【請求項５】
前記ハウジングは、並列する回路基板の上部を遮蔽する上壁と、絶縁本体及び回路基板の後辺を遮蔽する後壁とを備え、前記接地片が後壁から下向きに延出していることを特徴とする請求項４に記載の電気コネクタ。
【請求項６】
前記ハウジングは、バネ体を備える一つの上壁と、上壁の両端から垂直に延出する一対の側壁とを有することを特徴とする請求項４に記載の電気コネクタ。
【請求項７】
前記側壁は、内側に延設されて外側の回路基板と接触する一対の接地片を備えることを特徴とする請求項６に記載の電気コネクタ。
【請求項８】
前記ハウジングには、複数の係合片が設けられていることを特徴とする請求項１に記載の電気コネクタ。
【請求項９】
前記絶縁本体の底面には、係合片と対応する複数の凹部が設けられていることを特徴とする請求項８に記載の電気コネクタ。
【請求項１０】
前記絶縁本体の一端は前方へ突出する支持壁を備え、該支持壁は第１溝部と対応する第１収容槽を有し、且つ、回路基板の挿入部の底壁が該第１収容槽に収容されることを特徴とする請求項９に記載の電気コネクタ。
【請求項１１】
前記電気コネクタは一つの接続ピンを備え、前記回路基板には穴が設けられており、前記接続ピンは該穴を通じて絶縁本体に挿入されることを特徴とする請求項１に記載の電気コネクタ。
【請求項１２】
前記回路基板の穴は、導電性材料で鍍金されて、対応する導電ラインと連続し、且つ、金属の接続ピンは、穴を通って、絶縁本体に挿入されることを特徴とする請求項１１に記載の電気コネクタ。
【請求項１３】
前記端子と回路基板とはそれぞれ隣接して第１溝部に位置することを特徴とする請求項１に記載の電気コネクタ。
【請求項１４】
前記端子は複数対の信号端子と複数対の接地端子とを有し、且つ一対の信号端子と一対の接地端子とは隣接して設置されることを特徴とする請求項１３に記載の電気コネクタ。
【請求項１５】
前記端子は、回路基板における導電ラインと接続される接続アームと、回路基板と接続される末端と、該アームと該末端とを接続する保持部とを備え、前記信号端子の接続アームは保持部から上向きに伸びていることを特徴とする請求項１４に記載の電気コネクタ。
【請求項１６】
前記端子には、絶縁本体の底部から伸び出してプリント回路基板と電気的に接続される末端が設けられていることを特徴とする請求項１５に記載の電気コネクタ。
【請求項１７】
前記回路基板は、絶縁本体の対応する溝内に収容される実装部と、該実装部に位置する端子とを有することを特徴とする請求項１に記載の電気コネクタ。
【請求項１８】
電気コネクタにおいて、
複数の端子と電気的に接続される実装部と、
複数対の差分信号接触片と複数の接地片とを備える挿入部と、
接地片と電気的に接続される複数の接地ラインと、
複数の差分信号ラインとを備え、
該信号ラインは対応する信号接触片と連続して、その信号接触片の隣接する内側から挿入部に伸び出ることを特徴とする電気コネクタ。
【請求項１９】
前記差分信号接触片は、回路基板の第一側面に設置され、接地片は、回路基板の第１及び第２側面に設置されることを特徴とする請求項１８に記載の電気コネクタ。
【請求項２０】
前記信号ラインと信号接触片とは回路基板の同じ側面に設置されることを特徴とする請求項１９に記載の電気コネクタ。
【請求項２１】
第１側面の信号接触片は、接地片と隣接して設置されることを特徴とする請求項２０に記載の電気コネクタ。
【請求項２２】
前記第１側面及び第２側面における接地片の設置は同じであることを特徴とする請求項２１に記載の電気コネクタ。
【請求項２３】
前記回路基板の実装部は挿入部と垂直に連続することを特徴とする請求項２２に記載の電気コネクタ。
【請求項２４】
電気コネクタにおいて、
並列する複数の第１溝部を備えた一体の絶縁本体と、
並列するように装着された複数の端子と、
前記絶縁本体の対応する溝部に収容され、前記端子と電気的に接続され、対応する端子と機械的或いは電気的に接続される導電ラインを有するプリント回路基板と、
絶縁本体とプリント回路基板とを覆うハウジングとを備え、
該ハウジングの上部には、前記回路基板の上部に固定される複数の平行なバネ体が設けられていることを特徴とする電気コネクタ。
【請求項２５】
前記絶縁本体は、ハウジングの上部と垂直に連接され、回路基板の底部を固定することを特徴とする請求項２４に記載の電気コネクタ。
【請求項２６】
前記端子は、対応する回路基板の底部に半田付けで固定されることを特徴とする請求項２５に記載の電気コネクタ。
【発明の詳細な説明】
【技術分野】
【０００１】
本発明は電気コネクタに関し、特に高速ビッドで最適な信号伝送を実現することができる回路基板を備えた高密度電気コネクタに関する。
【背景技術】
【０００２】
電子工業における電気コネクタは、通常、各種機械の回路基板に取り付けられて使用される。電子科学技術の発展に従って、電子装置は小さくなっている。そのため、コネクタは次第に小さくなっているとともに、限られたスペースにおける信号ラインは増えつつ、信号伝送のビッドも速くなっている。そして、この時の内部電磁妨害やクロストークの状況が深刻になっている。構造が精密で、そのような電磁妨害やクロストークの状況において、信号の伝送ができなくなっている。
【０００３】
電磁妨害やクロストークの防止の問題点を解消するため、一般の電気コネクタは、金属シート材で成形され、電気コネクタのはめ込み部に包囲されるハウジングを有している。該ハウジングは、伝統的な機械ハウジング、或いは、接地ラインを含む電子ハウジングからなる。クロストークの防止のハウジングは、電気コネクタの絶縁本体の後部に挿入されることにより、二つの隣接する端子の間のクロストークを防止できる。同時に、上部と底部のハウジングは、その組み合わせに挿入されることにより、電磁妨害を抑制できる。そのような電気コネクタの構造は特許文献１と特許文献２に記載されている。
【０００４】
ところが、クロストークを防止することができるハウジングは、隣接する端子の間に設置されるため、信号の有効的な密度が低減する。且つ、電気コネクタの製作と組み合わせが複雑になる。
【０００５】
電磁妨害やクロストークの防止の問題点を解消するため、一種の電気コネクタ組み合わせは、回路基板に配置された、第１ハウジングや、接地部品を備えるプラグコネクタ品や、第２ハウジングを備えるソケットコネクタを有する。この第１ハウジングや接地部品や第２ハウジングは、接地ラインを立てるための接触部品を含む。そのような電気コネクタの構造は特許文献３に記載されている。ところが、この電気コネクタの製作と組み合わせは非常に複雑になり、大規模な生産が実現できない。
【０００６】
電磁妨害やクロストークの防止の問題点を解消するため、もう一つの電気コネクタには、遮蔽できる複数の鉤、あるいはコネクタを固定する連接装置が必要になる。ところが、製作の難度が増える。そのような電気コネクタの構造は特許文献４と特許文献５に記載されている。
【０００７】
従って、前記の欠点を克服するために一種の新たな電気コネクタを設計する。
【特許文献１】米国特許第５０６６２３６号明細書
【特許文献２】米国特許第５１０４３４１号明細書
【特許文献３】米国特許第５４３３６１７号明細書
【特許文献４】米国特許第６５２０８０３号明細書
【特許文献５】米国特許第５９８０３２１号明細書
【発明の開示】
【発明が解決しようとする課題】
【０００８】
本発明の目的は、このような従来の問題点を解決した電気コネクタを提供することである。すなわち、従来の技術と違って、導電性が強く、構造が簡単で、そして電磁遮蔽効果が充分な電気コネクタが得られるようにする。
【課題を解決するための手段】
【０００９】
本発明は高速ビッドで最適な信号伝送を実現することができる回路基板を備えた電気コネクタに関し、電気コネクタは、並列する複数の第１溝部を備えた絶縁本体と、並列するように装着された複数の端子と、対応する溝部に収容される回路基板と、絶縁本体と回路基板とを覆うハウジングと、から構成される。前記端子は、回路基板の導電ラインに電気接続される接続アームと、回路基板に電気接続される末端とを備える。前記ハウジングは内側に伸びる複数のバネ体を有し、該バネ体は、隣接する回路基板の間に延設され、且つ、回路基板と接触する。
【発明の効果】
【００１０】
従来の技術に比べると、本発明は以下の長所がある。接触バネ体を有し、プリント回路基板に固定され、接地回路を形成し、前記電気コネクタの電磁妨害を防止でき、信号端子と接地端子とが同じ回路基板に設けられた、構造が簡単なコネクタを提供することができる。
【発明を実施するための最良の形態】
【００１１】
第一実施例において、図１及び図２に示すように、本発明の電気コネクタ１は、回路基板（図示せず）に組み合わされるものであり、絶縁本体２と、該絶縁本体２に収容された複数の回路基板３と、該絶縁本体２と回路基板３とを覆うハウジング４とを有している。
【００１２】
図３及び図４に示すように、前記絶縁本体２は、矩形の基部２０と、基部２０の一端から前へ突出する複数の支持壁２１と、基部２０の他の一端から上向きに突出する保持部２２とを有する。該基部２０は、絶縁本体２に沿って縦方向に伸びる平行な第１溝部２３、及び、該第１溝部２３と連続して前記基部２０の底部を貫通するスロット２００を有する。前記支持壁２１には第１溝部２３に対応する第１収容槽２４が設けられ、前記保持壁２２には第１溝部２３に対応する第２収容槽２５が設けられる。絶縁本体２は、これを横向きに交差する第２溝部２６と底面に設置される複数の凹部２７とを有する。
【００１３】
図８〜図１０において、前記回路基板３は、挿入部３０と実装部３２とから構成されている。前記回路基板３は、シールド板で形成される絶縁基板と、該絶縁基板に設置される信号ライン３６及び接地ライン３７とを有する。それらのラインは挿入部３０から実装部３２まで導電ラインを提供する。挿入部３０は実装部３２に挿入され、回路基板３を絶縁本体２に固定するとともに、回路基板３の底壁３３と後壁３４とが対応する第１収容槽２４と第２収容槽２５とに収容される。また、回路基板３には絶縁本体２の第２溝部２６と対応する穴３５が設けられる。回路基板３を絶縁本体２に設置した後、接続ピン６を絶縁本体２の第２溝部２６と回路基板３の穴３５とに挿入することによって挿入部３０を固定する。接続ピン６は、鍍金で、回路基板３と電気的な接続を確保する。
【００１４】
前記絶縁本体２のスロット２００に収容される複数の端子５で、電気コネクタ１が回路基板３に固定される。図９に示すように、端子５と回路基板３とはそれぞれ隣接して弾性接触する。図１１に示すように、端子５は、スロット２００内に収容される保持部５０と、該保持部５０から上向きに伸びる接続アーム５２と、該保持部５０から下向きに伸びる末端５４とを有する。接続アーム５２は、第１溝部２３に伸びる折り曲げ部５２０を有して、対応する回路基板３と電気的な接続が達成される。
【００１５】
前記端子５は半田付けで回路基板３の実装部３２に固定され、図１６における回路基板モジュール３’が形成される。
【００１６】
図５及び図６に示すように、ほぼ矩形のハウジング４は金属シートで形成される。該ハウジング４は、絶縁本体２に設置されて回路基板３と絶縁本体２とを覆うものであり、回路基板３の上部を覆う上壁４０と、該上壁４０の両端から下向きに伸びる一対の側壁４２と、該上壁４０の後側から下向きに伸びて回路基板３の後部と保持部２２とを遮蔽する後壁４４と、上壁４０から下向きに伸びるバネ体４５と、複数の係合片４６とを備える。図１０に示すように、ハウジング４の一対の側壁４２は、接続ピン６の両端と電気的に接続され、ハウジング４と回路基板３との電気的接続に従って、良好な接地効果が得られる。前記バネ体４５は、二つの列をなして、隣接する回路基板３の間に設置され、回路基板３を隔ててその位置を測定する。同時に、バネ体４５は、回路基板３の接地ラインに接続可能であり、電磁妨害を抑制する。前記係合片４６は絶縁本体２の凹部２７に固定され、ハウジング４と絶縁本体２とが組み合わされる。複数の接地片４７は、後壁４４から下向きに伸びて回路基板３との電気的接続を確保する。
【００１７】
第二実施例において、図７に示すように、矩形のハウジング４’は、金属シートで形成され、上壁４０’と、一対の側壁４２’と、後壁４４’とを備える。側壁４２’は、一対の連接片４２０’と内側に突出する突出片４２２’をと含んで、回路基板３の接地ライン３７と接続され、電磁妨害を抑制する効果が補強される。
【００１８】
図１２及び図１３において、第一実施例にある回路基板３の一対の対向している側面が示される。図１４及び図１５において、第二実施例にある回路基板３の一対の対向している側面が示される。それらのプリント回路基板３の第１側面３００には、信号ライン３６と接地ライン３７とが隣接して設置され、第２側面３０２には、ただ接地ライン３７が設けられる。それらの回路基板３の相違点は、信号ライン３６と接地ライン３７との設置が異なっていることである。
【００１９】
回路基板３の挿入部３０には、信号接触片３２０と接地片３２２とが設けられる。該信号接触片３２０は、回路基板３の第１側面３００に位置して信号ライン３６と電気的に接続され、該接地片３２２は、回路基板３の第１側面３００と第２側面３０２とに位置して接地ライン３７と電気的に接続される。接地ライン３７は導き穴３８を貫通することによって、回路基板３の一対の対向する接地片３２２の電気的な接続が達成される。
【００２０】
信号ライン３６は、一対ずつで、回路基板３の第１側面３００に設置されることにより、複数対の差分信号ライン３６が形成される。隣接する差分信号ライン３６の間に、接地ライン３７が設けられる。差分信号ライン３６は対応する信号接続片３２０の隣接する内側３２３から伸び出て、且つ、両対の距離は充分で、有効なクロストークの防止の作用をする。
【００２１】
図１６において、第二実施例が示される。回路基板モジュール３’は、絶縁本体２の対応する第１溝部２３に収容される回路基板３と半田付けで実装部３２に固定される端子５’とを備える。端子５’は、スロット２００に固定される保持部５０’と、保持部５０’から上向きに伸びる接続アーム５２’と、下向きに伸びて回路基板３と接続される末端５４’とを有する。また、端子５’は、信号ライン３６と接続される信号端子５１’、及び、接地ライン３７と接続される接地端子５３’を含んでいる。隣接する両対の差分信号端子５１’の間に二つの接地端子５３’が設けられる。図１７において、端子５’が除かれた回路基板モジュール３’の第二側面が示される。
【００２２】
図１８において、第二実施例が示される。信号端子７は半田付けで回路基板３の実装部３２に固定され、隣接する両対の差分信号端子７の間に二つの接地端子５３’が設けられる。端子７は、保持部７０と、保持部７０から上向きに伸びて挿入部３２に半田付けで固定される接続アーム７２と、保持部７０から下向きに伸びて回路基板３と電気接続する末端７４とを有する。端子７と信号端子５１’の相違点は、端子７の接続アーム７２が保持部７０の内側７０２から上向きに伸びて、隣接する両対の差分信号端子の間の距離が信号端子５１’の間の距離より大きいことである。
【００２３】
ハウジング４及びハウジング４’は、絶縁本体２に結合されたときに、個別的なハウジングで回路基板３を固定する必要がない。電気コネクタ１の構造が簡単になり、同時に、ハウジング４と、ハウジング４’と、回路基板３あるいは回路基板モジュール３’とを設置して、電気コネクタ１の導電性が補強される。
【００２４】
総じて、本発明の多数の特徴及び長所など、その構造及び機能が共に前述の記載により掲げられている。また前記の説明は、本発明に基づきなしうる細部の修正或いは変更など、いずれも本発明の請求範囲に属するものとする。
【産業上の利用可能性】
【００２５】
本発明は電気コネクタに関し、特に高速ビッドで最適な信号伝送を実現することができる回路基板を備えた高密度電気コネクタに関する。
【図面の簡単な説明】
【００２６】
【図１】本発明の電気コネクタの立体組合図である。
【図２】本発明の電気コネクタの他の立体組合図である。
【図３】本発明の図１における電気コネクタの絶縁本体の立体図である。
【図４】本発明の図３における電気コネクタの絶縁本体の他の立体図である。
【図５】本発明の図１における電気コネクタのハウジングの立体図である。
【図６】本発明の図５における電気コネクタのハウジングの他の立体図である。
【図７】本発明の電気コネクタのハウジングの第二の実施例の立体図である。
【図８】本発明の電気コネクタの部品の透視図である。
【図９】本発明の電気コネクタの部品の透視図である。
【図１０】本発明の電気コネクタの部品の透視図である。
【図１１】本発明の電気コネクタの端子の立体図である。
【図１２】本発明の電気コネクタの回路基板の第１側面の平面図である。
【図１３】本発明の電気コネクタの回路基板の第２側面の平面図である。
【図１４】本発明の電気コネクタの回路基板の第二実施例の第１側面の平面図である。
【図１５】本発明の電気コネクタの回路基板の第二実施例の第２側面の平面図である。
【図１６】本発明の電気コネクタの第二実施例の回路基板モジュールの平面図である。
【図１７】本発明の図１６における電気コネクタの回路基板モジュールの他の平面図である。
【図１８】本発明の回路基板モジュールと端子の第二実施例の信号端子の平面図である。
【符号の説明】
【００２７】
１  電気コネクタ
２  絶縁本体
３  回路基板
３’回路基板モジュール
４  ハウジング
５  端子
５’端子
６  接続ピン
７  信号端子
２０  基部
２１  支持壁
２２  保持部
２３  第１溝部
２４  第１収納槽
２５  第２収納槽
２６  第２溝部
２７  凹部
３０  挿入部
３２  実装部
３３  底壁
３４  後壁
３５  穴
３６  信号ライン
３７  接地ライン
３８  導き穴
３９  ライン
４０  上壁
４２  側壁
４４  後壁
４５  バネ体
４６  係合片
４７  接地片
５０  保持部
５０’保持部
５１’信号端子
５２  接続アーム
５２’接続アーム
５３’接地端子
５４  末端
７０  保持部
７２  接続アーム
７４  末端
２００  スロット
３００  第１側面
３０２  第２側面
３２０  信号接触片
３２２  接地片
３２３  内側
４２０’連接片
４２２’突出片
５２０  折り曲げ部
７０２  内側
【図１】
2005079093.tif 000003
【図２】
2005079093.tif 000004
【図３】
2005079093.tif 000005
【図４】
2005079093.tif 000006
【図５】
2005079093.tif 000007
【図６】
2005079093.tif 000008
【図７】
2005079093.tif 000009
【図８】
2005079093.tif 000010
【図９】
2005079093.tif 000011
【図１０】
2005079093.tif 000012
【図１１】
2005079093.tif 000013
【図１２】
2005079093.tif 000014
【図１３】
2005079093.tif 000015
【図１４】
2005079093.tif 000016
【図１５】
2005079093.tif 000017
【図１６】
2005079093.tif 000018
【図１７】
2005079093.tif 000019
【図１８】
2005079093.tif 000020